(57)【要約】      （修正有）【課題】有害成分の排出をより効果的に低減する固体酸化物形燃料電池装置を提供する。【解決手段】アノード１４とカソード１６とを備え、アノードに供給された燃料とカソードに供給された空気とを用いて発電し、燃料は原料を改質して得られる改質ガスである、固体酸化物形燃料電池ユニット１２と、アノードから排出されたアノードオフガスとカソードから排出されたカソードオフガスとを燃焼させる燃焼器１８と、燃焼器から排出された排ガス中の水分を低減させる吸湿器２０と、吸湿器から排出された排ガス中の一酸化炭素を酸化することで低減させる燃焼触媒を含む浄化器２４と、を備える。【選択図】図１
2016100289.tif 000002
【特許請求の範囲】
【請求項１】
アノードとカソードとを備え、前記アノードに供給された燃料と前記カソードに供給された空気とを用いて発電し、前記燃料は原料を改質して得られる改質ガスである、固体酸化物形燃料電池ユニットと、
前記アノードから排出されたアノードオフガスと前記カソードから排出されたカソードオフガスとを燃焼させる燃焼器と、
前記燃焼器から排出された排ガス中の水分を低減させる吸湿器と、
前記吸湿器から排出された排ガス中の一酸化炭素を酸化することで低減させる燃焼触媒を含む浄化器と、を備える、
固体酸化物形燃料電池装置。
【請求項２】
前記吸湿器は吸湿剤を含み、
前記吸湿剤は、排ガス中の水分を可逆的に吸着する、請求項１に記載の固体酸化物形燃料電池装置。
【請求項３】
前記吸湿剤は、シリカゲル、アルミナ、およびゼオライトからなる群から選ばれた少なくとも一種を含む、請求項２に記載の固体酸化物形燃料電池装置。
【請求項４】
前記排ガスにより前記燃焼触媒の加熱が行われるように構成された、請求項１ないし３のいずれかに記載の固体酸化物形燃料電池装置。
【発明の詳細な説明】
【技術分野】
【０００１】
本発明は、固体酸化物形燃料電池装置に関する。
【背景技術】
【０００２】
近年、次世代エネルギーとして、燃料電池セルを複数配列してなる燃料電池セルスタックを収納容器に収納した燃料電池、燃料電池システムおよびそれらの運転方法が種々提案されている。燃料電池から排出された排気ガスを、空気もしくは燃料もしくは水と熱交換する熱交換器を具備する固体酸化物形燃料電池装置も提案されている。
【０００３】
燃料電池の発電においては、例えば、改質器が炭化水素系燃料を改質し、得られた燃料ガスと酸素含有ガスとが燃料電池スタックへ供給されて発電が行われる。
【０００４】
スタック下流では、スタックから排出されたアノードオフガスと、スタックから排出されたカソードオフガスとが、燃焼器に導入されると共に燃焼されて燃焼排ガスが発生する。燃焼排ガスが保有する熱（燃焼により生成した熱）は、熱交換器を介して、他に熱が必要な部位へと提供される。
【０００５】
燃料電池では、高効率発電時（即ち高い燃料利用率での運転時）および高い空気利用率での運転時等において、不完全燃焼等により、一酸化炭素および未反応の燃料ガスなどが生じやすくなる場合がある。燃料電池の排ガス中には、これらの一酸化炭素、未反応の燃料ガスなどの有害成分が含まれうる。このため、排ガス中に含まれる有害成分を除去する手段を設けた固体酸化物形燃料電池が提案されている。
【０００６】
特許文献１は、燃料電池と、燃料電池の発電により生じる排ガスの熱を回収するための熱交換器と、排ガス中の有害成分を浄化するための燃焼触媒を有する浄化装置とを具備する燃料電池装置が開示されている。
【先行技術文献】
【特許文献】
【０００７】
【特許文献１】特開２００８−１３５３０５号公報
【発明の概要】
【発明が解決しようとする課題】
【０００８】
本開示は、一例として、固体酸化物形燃料電池装置からの有害成分の排出をより効果的に低減することを目的とする。
【課題を解決するための手段】
【０００９】
本開示の固体酸化物形燃料電池装置の一態様（ａｓｐｅｃｔ）は、アノードとカソードとを備え、前記アノードに供給された燃料と前記カソードに供給された空気とを用いて発電し、前記燃料は原料を改質して得られる改質ガスである、固体酸化物形燃料電池ユニットと、前記アノードから排出されたアノードオフガスと前記カソードから排出されたカソードオフガスとを燃焼させる燃焼器と、前記燃焼器から排出された排ガス中の水分を低減させる吸湿器と、前記吸湿器から排出された排ガス中の一酸化炭素を酸化することで低減させる燃焼触媒を含む浄化器と、を備える。
【発明の効果】
【００１０】
本開示の一態様によれば、固体酸化物形燃料電池装置からの有害成分の排出をより効果的に低減できるという効果を奏する。
【図面の簡単な説明】
【００１１】
【図１】図１は、第１実施形態にかかる固体酸化物形燃料電池装置の概略構成の一例を示すブロック図である。
【図２】図２は、実施例にかかる固体酸化物形燃料電池装置の概略構成を示すブロック図である。
【図３】図３は、実施例における燃焼触媒の温度とＣＯ転化率との関係を示す概念図である。
【図４】図４は、実施例における排ガス中のＣＯ濃度と触媒温度の時間変化を示す概念図である。
【図５】図５は、実施例における吸湿剤の温度と水の吸着量との関係を示す概念図である。
【発明を実施するための形態】
【００１２】
固体酸化物形燃料電池装置からの有害成分の排出をより効果的に低減すべく、鋭意検討が加えられた。その結果、以下の知見が得られた。なお、以下の知見はあくまで、検討段階において得られたものであって、本開示の範囲およびその実施形態の範囲を限定するものではない。
【００１３】
固体酸化物形燃料電池装置は、アノードから排出されたアノードオフガスとカソードから排出されたカソードオフガスとを燃焼させる燃焼器を備える。一酸化炭素は、燃焼器から排出される排ガスに含まれる有害成分の１つである。排ガスに含まれる有害成分を低減するために、燃焼触媒が設けられうる。燃焼触媒は、例えば一酸化炭素を二酸化炭素に酸化することで低減する機能を有する。
【００１４】
燃焼触媒が効果的に作動するためには、一定程度以上の温度（排ガス温度および／または触媒温度）が必要となる。触媒の種類により、活性の高くなる温度範囲は異なる。低温型とされる燃焼触媒であっても、摂氏５０度以下などの低温では活性が低い（もしくは活性がない）ことがある。
【００１５】
燃料電池の起動時から発電初期においては、昇温のために、高温の燃焼ガスと、常温の空気、燃料および水などとの間で、熱交換が行われる。燃焼ガスが有する熱は、ホットモジュール等の加熱にも利用される。このため、燃焼触媒に供給される排ガスの温度上昇は比較的遅い。
【００１６】
固体酸化物形燃料電池装置においてアノードオフガスとカソードオフガスとを反応させて燃焼させる構成では、燃焼制御が難しく、不完全燃焼が発生しやすい。起動時には燃焼器の温度が低いため、不完全燃焼により、一酸化炭素および未反応の燃料の発生量も多くなりやすい。さらに、起動時には、燃焼触媒の温度が活性の高くなる範囲を下回る時間も長くなる。このため、燃焼触媒による有害成分の除去効率は起動時には低くなる。これらのことから、燃料器の下流に燃焼触媒が設けられている場合でも、起動時から発電初期にかけては、有害成分の排出量が多くなりやすい。
【００１７】
起動時には、燃焼触媒の温度が低いため、排ガスに含まれる水分が原因となって、燃焼触媒の性能がさらに低下しうる。その理由は、燃焼触媒の表面が液体の水で覆われることで触媒とガスとの接触が物理的に阻害されたり、燃焼触媒に水が吸着することで触媒作用が阻害されたり、水の存在により酸素の活性化が起こりにくくなり酸化反応が進みにくくなったりするためと考えられる。
【００１８】
以上のことから、起動時には特に、固体酸化物形燃料電池装置から排出されるガス中の一酸化炭素濃度が高くなりやすい。かかる問題は、排ガスが燃焼触媒に供給される前に、排ガスに含まれる水分を除去することで低減されうる。排ガスに含まれる水分を除去することで、燃焼触媒の性能低下が軽減される。
【００１９】
以下、添付図面を参照しつつ、本開示の実施形態について説明する。
【００２０】
以下で説明する実施形態は、いずれも本開示の一具体例を示すものである。以下の実施形態で示される数値、形状、材料、構成要素、構成要素の配置位置及び接続形態、ステップ、ステップの順序などは、あくまで一例であり、本開示を限定するものではない。また、以下の実施形態における構成要素のうち、本開示の最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状及び寸法比等については正確な表示ではない場合がある。また、製造方法においては、必要に応じて、各工程の順序等を変更でき、かつ、他の公知の工程を追加できる。
【００２１】
（第１実施形態）
第１実施形態の固体酸化物形燃料電池装置は、アノードとカソードとを備え、アノードに供給された燃料とカソードに供給された空気とを用いて発電し、燃料は原料を改質して得られる改質ガスである、固体酸化物形燃料電池ユニットと、アノードから排出されたアノードオフガスとカソードから排出されたカソードオフガスとを燃焼させる燃焼器と、燃焼器から排出された排ガス中の水分を低減させる吸湿器と、吸湿器から排出された排ガス中の一酸化炭素を酸化することで低減させる燃焼触媒を含む浄化器と、を備える。
【００２２】
上記固体酸化物形燃料電池装置において、吸湿器は吸湿剤を含み、吸湿剤は、排ガス中の水分を可逆的に吸着するものであってもよい。吸湿剤は、シリカゲル、アルミナ、およびゼオライトからなる群から選ばれた少なくとも一種を含んでいてもよい。
【００２３】
上記固体酸化物形燃料電池装置は、排ガスにより燃焼触媒の加熱が行われるように構成されていてもよい。
【００２４】
［装置構成］
図１は、第１実施形態にかかる固体酸化物形燃料電池装置の概略構成の一例を示すブロック図である。以下、図１を参照しつつ、第１実施形態の固体酸化物形燃料電池装置１００について説明する。
【００２５】
図１に示す例において、固体酸化物形燃料電池装置１００は、固体酸化物形燃料電池ユニット１２と、燃焼器１８と、吸湿器２０と、浄化器２４と、を備える。
【００２６】
固体酸化物形燃料電池ユニット１２は、アノード１４とカソード１６とを備える。固体酸化物形燃料電池ユニット１２は、アノード１４に供給された燃料と、カソードに供給された空気とを用いて発電する。
【００２７】
固体酸化物形燃料電池ユニット１２は、例えば、アノード１４とカソード１６との間で発電反応を行って発電する複数の燃料電池単セルを直列に接続したスタックを含むように構成される。固体酸化物形燃料電池ユニット１２は、円筒型のセルを直列に接続したスタックを含んで構成されてもよい。スタックは、アノードオフガスとカソードオフガスとがそれぞれ混合されることなく排出される密閉型であってもよいし、アノードオフガスとカソードオフガスとが混合された後に排出される開放型であってもよい。開放型スタックの場合、アノードオフガスとカソードオフガスはスタック直後の混合器で混合されたのち燃焼されてもよい。
【００２８】
燃料電池単セルには、例えば、イットリア安定化ジルコニア（ＹＳＺ）を電解質等に用いた公知の構成を採用しうる。燃料電池単セルの材料としては、イットリビウムやスカンジウムをドープしたジルコニア、あるいはランタンガレート系の固体電解質を用いることもできる。イットリア安定化ジルコニアを用いた燃料電池単セルでは、電解質の厚みにも依存するが、例えば、摂氏６００度から摂氏１０００度程度の温度範囲で発電反応が行われる。
【００２９】
固体酸化物形燃料電池ユニット１２の発電により得られた電力は、図示されない端子を介して外部負荷へと供給される。
【００３０】
燃料は、原料を改質して得られる改質ガスである。改質器（図示せず）は、固体酸化物形燃料電池装置１００の一部であってもよいし、固体酸化物形燃料電池装置１００の一部でなくてもよい。
【００３１】
原料は、少なくとも炭素及び水素を構成元素とする有機化合物を含有する物質であってもよい。具体的には、天然ガス、都市ガス、ＬＰＧ、ＬＮＧ、プロパンガス、ブタンガス、メタンを主成分とするガス等の炭化水素、及びメタノール、エタノール等のアルコール、灯油が例示される。都市ガスとは、ガス会社から配管を通じて各家庭等に供給されるガスをいう。灯油及びアルコール等の液体の発電原料を用いる場合には、原料が改質器に供給される前に、発電原料が加熱されて気化されてもよい。
【００３２】
改質器は、原料を用いて水素含有ガスを生成してもよい。具体的には、改質器において、原料ガスが改質反応して、水素含有ガスが生成されてもよい。改質反応は、いずれの形態であってもよく、例えば、水蒸気改質反応、オートサーマル反応及び部分酸化反応等が挙げられる。
【００３３】
改質器は、例えば、容器に改質触媒を充填することで構成されうる。改質触媒は、例えば、ニッケル、ルテニウム、白金、ならびにロジウムのうち少なくとも一つを含浸したアルミナ担体を用いることができる。なお、改質触媒は、本例に限定されるものではなく、改質触媒を最適な温度範囲に維持した場合に改質反応を進行させ得る触媒であれば、いかなる材料であっても構わない。
【００３４】
図１には示されていないが、各改質反応において必要となる機器が適宜設けられてもよい。例えば、改質反応が水蒸気改質反応であれば、改質器を加熱する燃焼器と水蒸気を生成する蒸発器とが設けられてもよい。燃焼器の燃料は、いずれの燃料であってもよいが、例えば、改質器より排出される水素含有ガスが用いられてもよい。水蒸気を生成するための熱源は特に限定されない。該熱源としては、例えば、燃焼器、電熱ヒータ、改質器、及び燃料電池のいずれか、またはそれらの任意の組合せ等とすることができる。改質反応がオートサーマル反応であれば、さらに、改質器に空気を供給する空気供給器（図示せず）が設けられてもよい。
【００３５】
燃焼器１８は、アノード１４から排出されたアノードオフガスとカソード１６から排出されたカソードオフガスとを燃焼させる。燃焼器１８には、カソードオフガスに加え、燃料電池装置外部から取り込んだ空気等が酸化剤ガスとして供給されてもよい。
【００３６】
吸湿器２０は、燃焼器１８から排出された排ガス中の水分を低減させる。吸湿器２０は、吸湿剤を含んでいてもよい。吸湿剤は、排ガス中の水分を可逆的に吸着する。吸湿剤は、シリカゲル、アルミナ、およびゼオライトからなる群から選ばれた少なくとも一種を含んでいてもよい。吸湿器２０は、例えば、金属容器に吸湿剤を充填することで構成されうる。
【００３７】
一般的に、多孔質構造は吸湿剤として機能する。シリカゲル、アルミナ、ゼオライトは多孔質構造を有する場合が多い。多孔質構造を有する材料は、バルクでは発揮できない特殊な機能を有する。多孔質構造の性質は、材質、製造法、および、空隙の形態、大きさ、分布、形状等によって特性が異なる。多孔質構造は、表面積が広いため、吸湿剤に利用される。シリカゲル自体は無色半透明である。水分の指示薬として塩化コバルト（ＩＩ）を添加したシリカゲルは、青（水分吸着力が大）から淡桃色（水分吸着力はほとんどない）を呈する。
【００３８】
吸湿剤としてのシリカゲルは、電子レンジあるいはフライパン等の加熱で細孔内部の水分を蒸発させることにより再利用できる。シリカゲルには、Ａ型とＢ型とがある。Ａ型は低湿度でも水分を吸着し、加熱すると水分を放出して、吸湿剤として再生される。Ｂ型は高湿度では水分を多く吸着するが、低湿度では水分を放出するという珪藻土のような性質を持つ。Ａ型およびＢ型のいずれも、吸湿器２０が備える吸湿剤として使用可能である。シリカゲルは、カラムクロマトグラフィーの担体としても利用されるが、この場合はケイ酸末端がＳｉ＝ＯではなくＳｉ（ＯＨ）２となるように処理されている。疎水性基で化学修飾した逆相担体や化学修飾担体の製品も製造されている。
【００３９】
浄化器２４は、燃焼触媒２２を含む。燃焼触媒２２は、吸湿器２０から排出された排ガス中の一酸化炭素を酸化することで低減させる。燃焼触媒２２は、さらに一酸化炭素以外の有害成分を低減させるものであってもよい。浄化器２４は、例えば、金属容器に燃焼触媒２２を充填することで構成されうる。
【００４０】
燃焼触媒２２は、金（Ａｕ）、二酸化マンガン（ＭｎＯ２）、白金（Ｐｔ）、およびパラジウム（Ｐｄ）からなる群より選ばれた１種以上の材料を含んでいてもよい。
【００４１】
燃焼触媒２２の例として、ホプカライト等の酸化物触媒（ＣｕＭｎ２Ｏ４、ＣｕＺｎＯ２など）、Ａｕ／ＴｉＯ２触媒、Ａｕ／ＦｅＯｘ触媒、Ａｕ／ＺｎＯ触媒、Ｐｔ及びＰｄ触媒、Ｐｔ／ＳｉＯ２触媒、Ｐｔ／Ａｌ２Ｏ３触媒、Ｐｔ／ＳｎＯ２触媒およびＰｄ／ＣｅＯ２触媒が挙げられる。
【００４２】
一般的に、ホプカライト等の酸化物触媒（ＣｕＭｎ２Ｏ４、ＣｕＺｎＯ２など）は、一酸化炭素濃度が高い場合、低温下でも一酸化炭素を酸化する活性を有するが、水蒸気により活性が低下する。Ａｕ／ＴｉＯ２触媒、Ａｕ／ＦｅＯｘ触媒、Ａｕ／ＺｎＯ触媒は、室温で、少量の水が存在すると、一酸化炭素を酸化する活性が高まるが、大量の水により活性は低下しうるし、高価である。Ｐｔ及びＰｄ触媒も高価である。Ｐｔ／ＳｉＯ２触媒、Ｐｔ／Ａｌ２Ｏ３触媒等は、１００〜２００℃以上の高温における排ガスの浄化に広く用いられているが、室温では一酸化炭素濃度が約１０００ｐｐｍ以上になると、一酸化炭素による自己被毒が起こる。Ｐｔ／ＳｎＯ２触媒およびＰｄ／ＣｅＯ２触媒等は、室温において一酸化炭素濃度が高くても、一酸化炭素を酸化できる。ただし、触媒上に大量の水が凝縮すると、触媒性能が低下する。
【００４３】
燃焼触媒２２は、排ガスにより加熱されてもよい。具体的には例えば、燃焼器１８から排出される排ガスの流路と浄化器２４とが隣接することで、排ガスにより燃焼触媒２２を加熱する。かかる構成では、燃焼触媒２２を加熱するための電気ヒータが省略されうる。ただし、加熱を補助するために電気ヒータが設けられてもよい。
【００４４】
燃焼器１８と吸湿器２０と浄化器２４とは、この順に、排ガス流路で接続されている。すなわち、吸湿器２０は燃焼器１８から浄化器２４に至る排ガス流路に設けられている。
【００４５】
本実施形態では、排ガスが燃焼触媒に供給される前に、排ガスに含まれる水分が吸湿器２０により除去される。その結果、起動時において、排ガス中の水分に起因した燃焼触媒の性能低下が軽減される。よって、固体酸化物形燃料電池装置からの有害成分の排出をより効果的に低減できる。
【００４６】
本実施形態において、吸湿剤が排ガス中の水分を可逆的に吸着する場合には、通常運転時に排ガスが高温となることで、吸湿剤から水分が除去される。さらに、運転を停止する際に、制御器（図示せず）の制御により、乾いたガス（改質前の原料ガス等）で流路がパージされることで、吸湿剤から水分が除去されてもよい。吸湿剤から水分が除去されることで、吸湿剤は自動的に再生される。よって、起動と停止が繰り返された場合でも、排ガス中の水分に起因した燃焼触媒の性能低下が軽減される。
【００４７】
本実施形態において、燃焼触媒を排ガスで加熱する態様では、排ガスで燃焼触媒が加熱されることで、例えば、吸湿剤に吸着された水蒸気が脱離して燃料電池装置外部へと排出される。これにより吸湿剤が再生される。なお、排ガスの温度が十分に高い状態では、触媒温度も高くなっていることから、水蒸気が存在していても有害成分を効果的に除去できる。また、燃焼触媒の加熱源としての電熱ヒータ等を省略可能である。
【００４８】
［実施例］
図２は、実施例にかかる固体酸化物形燃料電池装置の概略構成を示すブロック図である。以下、図２を参照しつつ、実施例の固体酸化物形燃料電池装置２００について説明する。
【００４９】
図２に示すように、実施例の固体酸化物形燃料電池装置２００は、脱硫器１と、熱交換器２ａ、２ｂと、改質器３と、燃料電池スタック４と、燃焼器５と、吸湿器６と、浄化器７と、燃料ガス経路８と、水供給経路９と、空気供給経路１０と、排ガス経路１１と、を備える。
【００５０】
脱硫器１は、燃料ガス経路８の上流端から供給される原料中の硫黄化合物を除去する。脱硫器１は、容器に脱硫剤が充填されることで構成されうる。脱硫剤は、水添脱硫剤、加熱脱硫剤、および、吸着脱硫剤のいずれを用いてもよい。水添脱硫剤または加熱脱硫剤と、吸着脱硫剤とが組み合わせられてもよい。
【００５１】
水添脱硫剤は、例えば、硫黄化合物を硫化水素に変換する材料と硫化水素を吸着する機能を有する材料とが組み合わせられてもよいし、両方の機能を有する脱硫剤が用いられてもよい。脱硫剤は、具体的には例えば、原料中の硫黄化合物を硫化水素に変換するＣｏＭｏ系触媒と、その下流に設けられる、硫化水素を吸着除去する硫黄吸着剤であるＺｎＯ系触媒とで構成されてもよいし、Ｃｕ系脱硫剤単独で構成されてもよい。
【００５２】
加熱脱硫の場合は、Ｃｕ系脱硫剤を２００〜３５０℃に加熱して、用いることができる。
【００５３】
常温脱硫剤は、水素含有ガスが供給されていなくても原料中の硫黄化合物を吸着除去できる。常温脱硫剤としては、ＡｇおよびＣｕ等でイオン交換したゼオライトが用いられる。常温脱硫剤の場合も燃料電池システム内の放熱により、５０〜７０℃まで温度が上がった状態で使用されることが多い。
【００５４】
硫黄化合物は、付臭成分として人為的に原料へ添加されるものであってもよいし、原料自体に由来する天然の硫黄化合物であってもよい。具体的には、ターシャリーブチルメルカプタン（ＴＢＭ：tertiary-butylmercaptan）、ジメチルスルフィド（ＤＭＳ：dimethylsulfide）、テトラヒドロチオフェン（ＴＨＴ：Tetrahydrothiophene）、硫化カルボニル（ＣＯＳ：carbonyl sulfide）、硫化水素（hydrogen sulfide）等が例示される。
【００５５】
熱交換器２ａと熱交換器２ｂとは、燃料電池装置の熱を利用し、高効率を得るためのものである。燃料と水が温められてから、改質器３に供給され、燃料電池スタック４まで流れる。一方、燃焼排ガスの温度は高いため、常温の空気を加熱することで装置の熱バランスを調整できる。
【００５６】
改質器３は、原料と原料以外の反応ガスとを用いて改質反応により水素含有ガスを生成する。水素含有ガスは本実施例における改質ガスである。改質反応はいずれの種類であってもよく、水蒸気改質反応、オートサーマル反応、及び部分酸化反応等が例示される。原料は、少なくとも炭素及び水素を構成元素とする有機化合物を含む。原料としては、具体的には、メタンを主成分とする都市ガス、天然ガス、ＬＰＧ等の少なくとも炭素及び水素から構成される有機化合物を含むガス、及びメタノール等のアルコールが例示される。原料以外の反応ガスとしては、改質反応が水蒸気改質であるときは水蒸気、改質反応がオートサーマルであるときは、水蒸気及び空気の少なくともいずれか一方、改質反応が部分酸化反応であるときは空気が挙げられる。
【００５７】
改質器３は、改質反応を進行させるための改質触媒を備える。改質触媒には、触媒金属として、例えば、Ｒｕ、Ｎｉ等が用いられる。
【００５８】
燃料電池スタック４は、カソードに酸素（Ｏ２）が、またアノードに燃料ガス(Ｈ２、ＣＯ、ＣＨ４等) が供給され、電極反応により発電が行われる。すなわち、カソードに供給された酸素は、カソード内の気孔を通って固体電解質との界面近傍に到達し、この部分でカソードから電子を受け取って酸化物イオン（Ｏ２−）にイオン化される。酸化物イオンは、アノードに向かって固体電解質内を拡散移動してアノードとの界面近傍に到達する。酸化物イオンは、この界面近傍で燃料ガスと反応してアノードに電子を放出すると共に、Ｈ２Ｏ、ＣＯ２等の反応生成物を燃料電池スタック４の外へと放出する。放出された電子は、別ルートで電流として取り出され、外部負荷へと供給される。
【００５９】
燃焼器５は、発電反応を行う燃料電池スタック４が備えるアノードから排出されるアノードオフガスと燃料電池スタック４が備えるカソードから排出されるカソードオフガスとを燃焼させる部位である。
【００６０】
吸湿器６は、起動時に低温の排ガスに含まれた水蒸気を吸湿させ、燃焼触媒の性能低下を防ぐものである。
【００６１】
浄化器７には、燃焼触媒が設けられている。浄化器７に充填された燃焼触媒の作用により、排ガス中に含まれる可燃成分が燃焼される。
【００６２】
燃料ガス経路８は、脱硫器１に燃料ガスを供給するための流路である。燃料ガス経路８の上流端は、脱硫器１へ供給する原料の流量を調整可能に構成されていてもよい。燃料ガス経路８の上流端に、例えば、昇圧器と流量調整弁が設けられてもよいし、これらのいずれか一方が設けられてもよい。昇圧器は、例えば、モータ駆動による定容積型ポンプが用いられるが、これに限定されるものではない。原料は、原料供給源より供給される。原料供給源は、所定の供給圧を有していてもよく、例えば、原料ガスボンベ、原料ガスインフラ等が挙げられる。
【００６３】
固体酸化物形燃料電池装置２００には、各改質反応において必要となる機器が適宜設けられてもよい。例えば改質反応が水蒸気改質反応であれば、改質器を加熱する燃焼器、水蒸気を生成する蒸発器、及び、蒸発器に水を供給する水供給器が設けられてもよい。改質反応がオートサーマル反応であれば、固体酸化物形燃料電池装置２００には、さらに、改質器に空気を供給する空気供給器、または改質触媒の温度を検知する温度検知器（図示せず）が設けられてもよい。
【００６４】
本実施例の原理について、図を参照しつつさらに詳しく説明する。
【００６５】
図３は、燃焼触媒の温度とＣＯ転化率との関係を示す概念図である。図３は、燃焼触媒の温度と触媒活性との関係が、水の有無によりどのように変化するかを示すものである。横軸は燃焼触媒の温度を示し、縦軸は触媒活性としての一酸化炭素の転化率を示す。点線は反応ガス（燃焼触媒に到達する前の排ガス、以下同様）に水が含まれない場合で、実線は反応ガスに水が含まれる場合である。水が含まれない場合は、触媒温度の上昇により一酸化炭素の転化率は速やかにほぼ１００％まで上昇する。一方、水が含まれる場合は、触媒温度が同じであれば、水が含まれない場合よりも一酸化炭素の転化率が低く、かつ、低温では一酸化炭素の浄化がほとんどできないことが分かる。ただし、触媒温度が高くなれば、水が含まれていても、一酸化炭素の転化率は徐々に上がり、最終的には１００％に達する。
【００６６】
一般に、長期間使用されると触媒の性能は低下するが、水が含まれると触媒の性能は著しくなる。水が含まれない場合には、触媒の性能を保つことが可能な場合も多い。
【００６７】
図４は、実施例における排ガス中のＣＯ濃度および触媒温度の時間変化を示す概念図である。図４では、実施例における触媒温度および燃料電池装置の出口における一酸化炭素濃度の経時変化が、吸湿器の有無によりどのように変化するかを示すものである。横軸は反応時間であり、左縦軸は一酸化炭素濃度であり、右縦軸は触媒温度である。破線の左側は起動時の状態、破線の右側は定常運転時の状態を示している。
【００６８】
改質触媒温度も燃焼触媒温度も運転開始後、時間が経過するにつれ徐々に上がり、しばらくすると安定して発電可能となる。
【００６９】
起動時には、燃焼器において一酸化炭素が生成されやすいため、排ガスの一酸化炭素濃度は一旦上昇するが、その後に下がっていく。かかる傾向は、着火時に火炎の安定性が低いためと推測される。炎口部が複数有り、着火源が１つの場合、全ての炎口部に着火するまでに時間がかかり、一酸化炭素が排出されやすくなることがある。
【００７０】
図４に示されるように、排ガス中の一酸化炭素濃度は吸湿器の有無により大きく異なる。吸湿器がない場合は、吸湿した燃焼触媒の活性低下により、除去できずに排気される一酸化炭素の量が多くなる。吸湿器がある場合は、触媒性能の低下がなく、一酸化炭素濃度は大幅に低くなる。
【００７１】
図５は、実施例における吸湿剤の温度と水の吸着量との関係を示す概念図である。図５は、燃焼器の前に設置する吸湿剤の性能を示す。横軸は吸湿剤の温度を示し、縦軸は水の吸着量を示す。破線の左側は起動時の状態、破線の右側は定常運転時の状態を示している。
【００７２】
図５に示されるように、吸湿剤の温度により水の吸着量は変化する。低温側では、水の吸着量は高く、温度が上昇すると、水の吸着量は徐々に減っていく。したがって、起動時の低温な状態では吸着剤が水を吸着可能であり、定時運転時には水が脱離して吸湿剤が再生される。
【００７３】
上記説明から、当業者にとっては、本開示の多くの改良や他の実施形態が明らかである。従って、上記説明は、例示としてのみ解釈されるべきであり、本開示を実行する最良の態様を当業者に教示する目的で提供されたものである。本開示の精神を逸脱することなく、その構造及び／又は機能の詳細を実質的に変更できる。
【産業上の利用可能性】
【００７４】
本開示の一態様は、固体酸化物形燃料電池装置からの有害成分の排出をより効果的に低減できる固体酸化物形燃料電池装置として有用である。
【符号の説明】
【００７５】
１  脱硫器
２ａ  熱交換器
２ｂ  熱交換器
３  改質器
４  燃料電池スタック
５  燃焼器
６  吸湿器
７  浄化器
８  燃料ガス経路
９  空気供給経路
１０  水供給経路
１１  排ガス経路
１２  固体酸化物形燃料電池ユニット
１４  アノード
１６  カソード
１８  燃焼器
２０  吸湿器
２２  燃焼触媒
２４  浄化器
１００  固体酸化物形燃料電池装置
２００  固体酸化物形燃料電池装置
【図１】
2016100289.tif 000003
【図２】
2016100289.tif 000004
【図３】
2016100289.tif 000005
【図４】
2016100289.tif 000006
【図５】
2016100289.tif 000007